(57)【要約】      （修正有）【課題】ボルトとナット類を使用せず、閂材を打込み接着させ高所での作業時間を簡略化し作業効率を著増した蓋付き樋受け金具を提供する。【解決手段】樋受け支承体ｂは、雨樋aを嵌挿支承する支承部１を有しその前方部に蓋体ｃの前方部２に設けた挿込み部３を挿入する挿込み受け部４を形成し、支承部１の後方部に屋根の軒先に固定する軒先取付け部５を設け、支承体ｂの後方の上方部に、樋受け支承体ｂと蓋体ｃを接続する閂材ｄを打込み可能にした左側方に開口部７を設けた右側閂嵌挿部６を設け、蓋体ｃの後方部８ｅに閂材ｄが嵌挿可能にして組立て時に右側閂嵌挿部６の開口部７と対向する開口部９を設けた左側閂嵌挿部８を形成し、右側閂嵌挿部６と左側閂嵌挿部８の下方部に、左右の閂嵌挿部６、８が対向状に組立て時に形成の閂嵌挿部ｋ内に打込まれた閂材ｄの固定状態を保持する係止部１０a付き閂嵌挿支持部１０を支承体ｂの軒先取り付け部５より突設させた。【選択図】図１
2015086528.tif 000002
【特許請求の範囲】
【請求項１】
雨樋を嵌挿支承する樋受け支承体と、前記樋受け支承体に嵌着する蓋体とからなる蓋付き樋受け金具において、
前記樋受け支承体は、前記雨樋を嵌挿支承する支承部を有し且つ前記支承部の前方部に前記蓋体の前方部に設けた挿込み部を挿入する挿込み受け部を形成し、前記支承部の後方部に屋根の軒先に固定する軒先取付け部を設け、前記支承体の後方部の上方部に、前記樋受け支承体と前記蓋体を接続する閂材を打込み可能にした左側方に開口部を設けた右側閂嵌挿部を設け、前記蓋体は後方部に前記閂材が嵌挿可能にして且つ組立て時に前記右側閂嵌挿部の開口部と対向する開口部を設けた左側閂嵌挿部を形成すると共に、前記右側閂嵌挿部と前記左側閂嵌挿部の下方部に、前記右側閂嵌挿部と前記左側閂嵌挿部が対向状に組み立てられた際に形成される閂嵌挿部内に打込まれた閂材の固定状態を保持する係止部付き閂嵌挿支持部を前記支承体の軒先取り付け部より突設せしめることを特徴とする蓋付き樋受け金具。
【請求項２】
前記右側閂嵌挿部と前記左側閂嵌挿部は、組み立て時に側面視が四辺形状に組み立てられることを特徴とする請求項１に記載の蓋付き樋受け金具。
【請求項３】
請求項1に記載の前記閂嵌挿支持部は、前記支承部内に嵌挿する雨樋の後方縁部が上方部に飛出しない形状に形成されることを特徴とする請求項１又は２に記載された蓋付き樋受け金具。
【請求項４】
前記右側閂嵌挿部は、上方開口閂支持部と下方開口閂支持部と垂直支持部とが折曲状に形成され且つ前記上方開口閂支持部と下方開口閂支持部が平行状をなし前記軒先取り付け部の上方部に接着せしめると共に、前記左側閂嵌挿部は、前記左側閂嵌挿部を構成する上方開口支持部が前記蓋体の裏面部にして且つ後方部の方向に水平状に延設せしめ前記蓋体の裏面部に形成され、他方前記左側閂嵌挿部を構成する下方開口閂支持部も、前記蓋体の裏面部より垂下状に延設する垂直状閂支持部の下方端部を前記蓋体の後方部の方向に折曲せしめ、前記上方開口閂支持部と前記下方開口閂支持部は平行状に形成されていることを特徴とする請求項１〜３のいずれか１項に記載された蓋付き樋受け金具。
【請求項５】
前記右側閂嵌挿部の上方開口閂支持部と下方開口閂支持部の各端部と、前記左側閂嵌挿部の上方開口閂支持部と下方開口閂支持部の各端部は、前記右側閂嵌挿部と前記左側閂嵌挿部が組み立てられ前記閂材が閂嵌挿部に嵌挿されると間隙部が形成されることを特徴とする請求項１〜４のいずれか１項に記載された蓋付き樋受け金具。
【請求項６】
前記蓋体の前方部の裏面部に、前記雨樋の前方部が嵌挿する嵌挿部を形成せしめることを特徴とする請求項１〜４のいずれかの１項に記載された蓋付き樋受け金具。
【請求項７】
雨樋を嵌挿支承する樋受け支承体と、前記樋受け支承体に嵌着する蓋体とからなる蓋付き樋受け金具において、
前記樋受け支承体は、前記雨樋を嵌挿支承する支承部を有し且つ前記支承部の後方部に屋根の軒先に固定する軒先取付け部を設け且つ前記軒先取付け部の上方部に前記蓋体の後方部に下方に折曲する引掛け部を係止する引掛け受け部を形成し、前記支承部の前方部に係止部付き閂嵌挿支持部を設け、前記閂嵌挿支持部の係止部と所定の間隔をおき、前記樋受け支承体と前記蓋体を接続する閂材を打込み可能にした左側方に開口部を設けた右側閂嵌挿部を設け、前記蓋体の前方部に前記閂材が嵌挿可能にして且つ組立て時に前記右側閂嵌挿部の開口部と対向する開口部を設けた左側閂嵌挿部を形成することを特徴とする蓋付き樋受け金具。
【請求項８】
前記右側閂嵌挿部と前記左側閂嵌挿部は、組み立て時に側面視が四辺形状に組み立てられることを特徴とする請求項７に記載の蓋付き樋受け金具。
【請求項９】
請求項７に記載の前記桶受け支承体は、前記支承部内に嵌挿する雨樋の後方縁部が上方部に飛出しない搖動阻止部が前記軒先取付け部より突設せしめることを特徴とする請求項７又は８に記載された蓋付き樋受け金具。
【請求項１０】
前記右側閂嵌挿部は、上方開口閂支持部と下方開口閂支持部と垂直支持部とが折曲状に形成され且つ前記上方開口閂支持部と下方開口閂支持部が平行状をなし前記閂嵌挿支持部の上方部に接着せしめると共に、前記左側閂嵌挿部は、前記左側閂嵌挿部を構成する上方開口支持部が前記蓋体の裏面部にして且つ前方部より水平状に延設せしめ前記蓋体の裏面部に形成され、前記左側閂嵌挿部を構成する下方開口閂支持部も、前記蓋体の前方部の裏面部より垂下状に延設する垂直状閂支持部の下方端部を前記蓋体の後方部の方向に折曲せしめ、前記上方開口閂支持部と前記下方開口閂支持部は平行状に形成されていることを特徴とする請求項７〜９のいずれか１項に記載された蓋付き樋受け金具。
【請求項１１】
前記右側閂嵌挿部の上方開口閂支持部と下方開口閂支持部の各端部と、前記左側閂嵌挿部の上方開口閂支持部と下方開口閂支持部の各端部は、前記右側閂嵌挿部と前記左側閂嵌挿部が組み立てられ前記閂材が閂嵌挿部に嵌挿されると間隙部が形成されることを特徴とする請求項７〜１０のいずれか１項に記載された蓋付き樋受け金具。
【請求項１２】
前記蓋体の前方部の裏面部に、前記雨樋の前方部が嵌挿する嵌挿部を形成せしめることを特徴とする請求項７〜１１のいずれか１項に記載された蓋付き樋受け金具。
【発明の詳細な説明】
【技術分野】
【０００１】
本発明は、樋受け支承体と蓋体とをねじ及びナット等を使用することなく接続できる蓋付き樋受け金具の分野に関するものである。
【背景技術】
【０００２】
従来樋受け金具として、本件特許出願人が所有する特許第４４７５２５３号の特許公報（樋受金具）がある。
【０００３】
前記した従来開示の樋受け金具は、雨樋カバーaと樋受け本体ｃを接続するのにボルトとナットをもって接続したり、さらに前記雨樋カバーaは、上方受け金具  をボルトとナットで固定させる等、作業者が梯子等を使ってよじ登って作業をするのに、危険と共に極めて煩雑にして、しかも作業効率が悪く、そのため施工工事費の昂騰を招き、さらに使用部品点数も多く、工事費の昂騰を助長せしめていた。
【０００４】
さらに、従来の樋受け金具は、施工作業時において、熟練さが要求されていた。
【先行技術文献】
【特許文献】
【０００５】
【特許文献１】特許第４４７５２５３号特許公報
【発明の概要】
【発明が解決しようとする課題】
【０００６】
本発明は、従来開示の蓋付き樋受け金具と異なり蓋体と樋受け支承体との構造を改良して、従来の蓋付き樋受け金具の弊害を一挙に解決したものである。以下において、本発明が解決しようとする課題は以下のとおりである。
【０００７】
第１に、本発明の蓋付き樋受け金具は、高い屋根の直下にある軒先部に取り付ける雨樋を支承する支承部を設けた樋受け支承体に対し、蓋部を被せ、前記樋受け支承体と蓋体とを接着するのに、従来の施工方式とは全く異なり、ボルトとナット類を使用することなく、前記ボルトとナットの代わりに、閂材を打ち込んで接着させ高所での作業時間を極めて短縮し簡略化して作業性と作業効率を従来のものに比し著しくアップせしめた。
【０００８】
第２に、本発明は前記のように樋受け支承体と蓋体との接着に際し、ボルトとナットの使用をなくしたことによって、樋受け金具の部品点数を節減すると共に、樋受け金具の製品価格を従来品に比し著しく節減した。
【課題を解決するための手段】
【０００９】
課題を解決するための手段として、請求項１に記載の蓋付き樋受け金具は、雨樋aを嵌挿支承する樋受け支承体ｂと、前記樋受け支承体ｂに嵌着する蓋体ｃとからなる蓋付き樋受け金具Ａにおいて、
前記樋受け支承体ｂは、前記雨樋aを嵌挿支承する支承部１を有し且つ前記支承部１の前方部に前記蓋体ｃの前方部２に設けた挿込み部３を挿入する挿込み受け部４を形成し、前記支承部１の後方部に屋根の軒先に固定する軒先取付け部５を設け、前記支承体ｂの後方の上方部に、前記樋受け支承体ｂと前記蓋体ｃを接続する閂材ｄを打込み可能にした左側方に開口部７を設けた右側閂嵌挿部６を設け、前記蓋体ｃの後方部８ｅに前記閂材ｄが嵌挿可能にして且つ組立て時に前記右側閂嵌挿部６の開口部７と対向する開口部９を設けた左側閂嵌挿部８を形成すると共に、前記右側閂嵌挿部６と前記左側閂嵌挿部８の下方部に、前記右側閂嵌挿部６と前記左側閂嵌挿部８が対向状に組み立てられた際に形成される閂嵌挿部ｋ内に打込まれた閂材ｄの固定状態を保持する係止部１０a付き閂嵌挿支持部１０を前記支承体ｂの軒先取り付け部５より突設せしめる蓋付き樋受け金具である。
【００１０】
課題を解決するための手段として、請求項２に記載の蓋付き樋受け金具は、前記右側閂嵌挿部６と前記左側閂嵌挿部８は、組み立て時に側面視が四辺形状に組み立てられる蓋付き樋受け金具である。
【００１１】
課題を解決するための手段として、請求項３に記載の蓋付き樋受け金具は、請求項1に記載の前記閂嵌挿支持部１０は、前記支承部１内に嵌挿する雨樋aの後方縁部１４が上方部に飛出しない形状に形成される蓋付き樋受け金具である。
【００１２】
課題を解決するための手段として、請求項４に記載の蓋付き樋受け金具は、前記右側閂嵌挿部６は、上方開口閂支持部６ａと下方開口閂支持部６ｂと垂直支持部６ｃとが折曲状に形成され且つ前記上方開口閂支持部６ａと下方開口閂支持部６ｂが平行状をなし前記軒先取り付け部５の上方部に接着せしめると共に、前記左側閂嵌挿部８は、前記左側閂嵌挿部８を構成する上方開口支持部８aが前記蓋体ｃの裏面部１１にして且つ後方部１１aの方向に水平状に延設せしめ前記蓋体ｃの裏面部１１に形成され、前記左側閂嵌挿部８を構成する下方開口閂支持部８ｃも、前記蓋体ｃの裏面部１１より垂下状に延設する垂直状閂支持部８ｂの下方端部８ｄを前記蓋体ｃの後方部８ｅの方向に折曲せしめ、前記上方開口閂支持部８aと前記下方開口閂支持部８ｃは平行状に形成されている蓋付き樋受け金具である。
【００１３】
課題を解決するための手段として、請求項５に記載の蓋付き樋受け金具は、前記右側閂嵌挿部６の上方開口閂支持部６ａと下方開口閂支持部６ｂの各端部と、前記左側閂嵌挿部８の上方開口閂支持部８aと下方開口閂支持部８ｃの各端部は、前記右側閂嵌挿部６と前記左側閂嵌挿部８が組み立てられ前記閂材ｄが閂嵌挿部ｋに嵌挿されると間隙部１６、１７が形成される蓋付き樋受け金具である。
【００１４】
課題を解決するための手段として、請求項６に記載の蓋付き樋受け金具は、前記蓋体ｃの前方部２の裏面部１１に、前記雨樋aの前方部１２が嵌挿する嵌挿部１３を形成せしめる蓋付き樋受け金具である。
【００１５】
課題を解決するための手段として、請求項７に記載の樋受け金具は、雨樋aを嵌挿支承する樋受け支承体ｂと、前記樋受け支承体ｂに嵌着する蓋体ｃとからなる蓋付き樋受け金具Ａにおいて、
前記樋受け支承体ｂは、前記雨樋aを嵌挿支承する支承部１を有し且つ前記支承部１の後方部に屋根の軒先に固定する軒先取付け部５を設け且つ前記軒先取付け部５上方部に前記蓋体ｃの後方部に下方に折曲する引掛け部３ａを係止する引掛け受け部４ａを形成し、前記支承部ｂの前方部に係止部１０ｃ付き閂嵌挿支持部１０ｂを設け、前記閂嵌挿支持部１０ｂの係止部１０ｃと所定の間隔をおき、前記樋受け支承体ｂと前記蓋体ｃを接続する閂材ｄを打込み可能にした左側方に開口部７を設けた右側閂嵌挿部６ｄを設け、前記蓋体ｃの前方部２に前記閂材ｄが嵌挿可能にして且つ組立て時に前記右側閂嵌挿部６ｄの開口部７ａと対向する開口部９ａを設けた左側閂嵌挿部８ｆを形成する蓋付き樋受け金具である。
【００１６】
課題を解決するための手段として、請求項８に記載の蓋付き樋受け金具は、前記右側閂嵌挿部６ｄと前記左側閂嵌挿部８ｆが、組み立て時に側面視が四辺形状に組み立てられる蓋付き樋受け金具である。
【００１７】
課題を解決するための手段として、請求項９に記載の樋受け金具は、請求項７に記載の前記桶受け支承体ｂが、前記支承部１内に嵌挿する雨樋aの後方縁部１４が上方部に飛出しない搖動阻止部１５aが前記軒先取付け部５より突設されている蓋付き樋受け金具である。
【００１８】
課題を解決するための手段として、請求項１０に記載の蓋付き樋受け金具は、請求項７に記載の前記右側閂嵌挿部６ｄが、上方開口閂支持部６ｅと下方開口閂支持部６ｆと垂直支持部６ｇとが折曲状に形成され且つ前記上方開口閂支持部６ｅと下方開口閂支持部６ｆが平行状をなし前記閂嵌挿支持部１０ｂの上方部に接着せしめると共に、前記左側閂嵌挿部８ｆは、前記左側閂嵌挿部８ｆを構成する上方開口支持部８ｇが前記蓋体ｃの裏面部１１にして且つ前方部２より水平状に延設せしめ前記蓋体ｃの裏面部１１に形成され、前記左側閂嵌挿部８ｆを構成する下方開口閂支持部８ｉも、前記蓋体ｃの前方部２の裏面部１１より垂下状に延設する垂直状閂支持部８ｈの下方端部８ｊを前記蓋体ｃの後方部８ｅの方向に折曲せしめ、前記上方開口閂支持部８ｇと前記下方開口閂支持部８ｉは平行状に形成されている蓋付き樋受け金具である。
【００１９】
課題を解決するための手段として、請求項１１に記載の蓋付き樋受け金具は、前記右側閂嵌挿部６ｄの上方開口閂支持部６ｅと下方開口閂支持部６ｆの各端部と、前記左側閂嵌挿部８ｆの上方開口閂支持部８ｇと下方開口閂支持部８ｉの各端部が、前記右側閂嵌挿部６ｄと前記左側閂嵌挿部８ｆが組み立てられ前記閂材ｄが閂嵌挿部ｋに嵌挿されると間隙部１６、１７が形成される蓋付き樋受け金具である。
【００２０】
課題を解決するための手段として、請求項１２に記載の蓋付き樋受け金具は、前記蓋体ｃの前方部２の裏面部１１に、前記雨樋aの前方部１２が嵌挿する嵌挿部１３を形成せしめる蓋付き樋受け金具である。
【発明の効果】
【００２１】
請求項１に記載の発明は、雨樋aを嵌挿支承する樋受け支承体ｂと、前記樋受け支承体ｂに嵌着する蓋体ｃとからなる蓋付き樋受け金具Ａにおいて、
前記樋受け支承体ｂは、前記雨樋aを嵌挿支承する支承部１を有し且つ前記支承部１の前方部に前記蓋体ｃの前方部２に設けた挿込み部３を挿入する挿込み受け部４を形成し、前記支承部１の後方部に屋根の軒先に固定する軒先取付け部５を設け、前記支承体ｂの上方部に、前記樋受け支承体ｂと前記蓋体ｃを接続する閂材ｄを打込み可能にした左側方に開口部７を設けた右側閂嵌挿部６を設け、前記蓋体ｃの後方部８ｅに前記閂材ｄが嵌挿可能にして且つ組立て時に前記右側閂嵌挿部６の開口部７と対向する開口部９を設けた左側閂嵌挿部８を形成すると共に、前記右側閂嵌挿部６と前記左側閂嵌挿部８の下方部に、前記右側閂嵌挿部６と前記左側閂嵌挿部８が対向状に組み立てられた際に形成される閂嵌挿部ｋ内に打込まれた閂材ｄの固定状態を保持する係止部１０a付き閂嵌挿支持部１０を前記支承体ｂの軒先取り付け部５より突設せしめる蓋付き樋受け金具なので、ボルトとナット類の使用を全くなくして前記ボルトとナットの代わりに閂材を打ち込むだけで前記樋受け金具と蓋体を接着させ、そのため高所での作業を時間を極めて短縮し簡略化して作業性と作業効率を従来のものに比し著しくアップせしめた。
【００２２】
さらに、本発明は前記のように樋受け支承体と蓋体との接着に際し、ボルトとナットの使用をなくしたことによって、樋受け金具の部品点数を節減すると共に、樋受け金具の製品価格を従来品に比し著しく節減することができる利点を有している。
【００２３】
請求項２に記載の発明は、前記右側閂嵌挿部６と前記左側閂嵌挿部８が、組み立て時に側面視が四辺形状に組み立てられる蓋付き樋受け金具なので、前記請求項１に記載の発明と同じ効果を有している。
【００２４】
請求項３に記載の発明は、請求項1に記載の前記閂嵌挿支持部１０が、前記支承部１内に嵌挿する雨樋aの後方縁部１４が上方部に飛出しない形状に形成される蓋付き樋受け金具なので、前記請求項１に記載の発明と同じ効果を有している。
【００２５】
請求項４に記載の発明は、前記右側閂嵌挿部６が、上方開口閂支持部６ａと下方開口閂支持部６ｂと垂直支持部６ｃとが折曲状に形成され且つ前記上方開口閂支持部６ａと下方開口閂支持部６ｂが平行状をなし前記軒先取り付け部５の上方部に接着せしめると共に、前記左側閂嵌挿部８は、前記左側閂嵌挿部８を構成する上方開口支持部８aが前記蓋体ｃの裏面部１１にして且つ後方部１１aの方向に水平状に延設せしめ前記蓋体ｃの裏面部１１に形成され、他方前記左側閂嵌挿部８を構成する下方開口閂支持部８ｃも、前記蓋体ｃの裏面部１１より垂下状に延設する垂直状閂支持部８ｂの下方端部８ｄを前記蓋体ｃの後方部８ｅの方向に折曲せしめ、前記上方開口閂支持部８aと前記下方開口閂支持部８ｃは平行状に形成されている蓋付き樋受け金具なので、前記請求項１に記載の発明と同じ効果を有している。
【００２６】
請求項５に記載の発明は、前記右側閂嵌挿部６の上方開口閂支持部６ａと下方開口閂支持部６ｂの各端部と、前記左側閂嵌挿部８の上方開口閂支持部８aと下方開口閂支持部８ｃの各端部が、前記右側閂嵌挿部６と前記左側閂嵌挿部８が組み立てられ前記閂材ｄが閂嵌挿部ｋに嵌挿されると間隙部１６、１７が形成される蓋付き樋受け金具なので、前記請求項１に記載の発明と同じ効果を有している。
【００２７】
請求項６に記載の発明は、前記蓋体ｃの前方部２の裏面部１１に、前記雨樋aの前方部１２が嵌挿する嵌挿部１３を形成せしめる蓋付き樋受け金具なので、前記請求項１に記載の発明と同じ効果を有している。
【００２８】
請求項７に記載の発明は、雨樋aを嵌挿支承する樋受け支承体ｂと、前記樋受け支承体ｂに嵌着する蓋体ｃとからなる蓋付き樋受け金具Ａにおいて、
前記樋受け支承体ｂは、前記雨樋aを嵌挿支承する支承部１を有し且つ前記支承部１の後方部に屋根の軒先に固定する軒先取付け部５を設け且つ前記軒先取付け部５上方部に前記蓋体ｃの後方部に下方に折曲する引掛け部３ａを係止する引掛け受け部４ａを形成し、前記支承部ｂの前方部に係止部１０ｃ付き閂嵌挿支持部１０ｂを設け、前記閂嵌挿支持部１０ｂの係止部１０ｃと所定の間隔をおき、前記樋受け支承体ｂと前記蓋体ｃを接続する閂材ｄを打込み可能にした左側方に開口部７を設けた右側閂嵌挿部６ｄを設け、前記蓋体ｃの前方部２に前記閂材ｄが嵌挿可能にして且つ組立て時に前記右側閂嵌挿部６ｄの開口部７ａと対向する開口部９ａを設けた左側閂嵌挿部８ｆを形成する蓋付き樋受け金具なので、前記請求項１に記載の発明と同じ効果を有している。
【００２９】
請求項８に記載の発明は、前記右側閂嵌挿部６ｄと前記左側閂嵌挿部８ｆが、組み立て時に側面視が四辺形状に組み立てられることを特徴とする請求項７に記載の蓋付き樋受け金具なので、前記請求項１に記載の発明と同じ効果を有している。
【００３０】
請求項９に記載の発明は、請求項７に記載の前記桶受け支承体１０ｂが、前記支承部１内に嵌挿する雨樋aの後方縁部１４が上方部に飛出しない搖動阻止部１５aが前記軒先取付け部５より突設せしめることを特徴とする請求項７ないし８のいずれかの請求項に記載された蓋付き樋受け金具なので、前記請求項１に記載の発明と同じ効果を有している。
【００３１】
請求項１０に記載の発明は、前記右側閂嵌挿部６ｄは、上方開口閂支持部６ｅと下方開口閂支持部６ｆと垂直支持部６ｇとが折曲状に形成され且つ前記上方開口閂支持部６ｅと下方開口閂支持部６ｆが平行状をなし前記閂嵌挿支持部１０ｂの上方部に接着せしめると共に、前記左側閂嵌挿部８ｆは、前記左側閂嵌挿部８ｆを構成する上方開口支持部８ｇが前記蓋体ｃの裏面部１１にして且つ前方部２より水平状に延設せしめ前記蓋体ｃの裏面部１１に形成され、前記左側閂嵌挿部８ｆを構成する下方開口閂支持部８ｉも、前記蓋体ｃの前方部２の裏面部１１より垂下状に延設する垂直状閂支持部８ｈの下方端部８ｊを前記蓋体ｃの後方部の方向に折曲せしめ、前記上方開口閂支持部８ｇと前記下方開口閂支持部８ｉは平行状に形成されていることを特徴とする請求項７ないし９のいずれかの請求項に記載された蓋付き樋受け金具なので、前記請求項１に記載の発明と同じ効果を有している。
【００３２】
請求項１１に記載の発明は、前記右側閂嵌挿部６ｄの上方開口閂支持部６ｅと下方開口閂支持部６ｈの各端部と、前記左側閂嵌挿部８ｆの上方開口閂支持部８ｇと下方開口閂支持部８ｉの各端部は、前記右側閂嵌挿部６ｄと前記左側閂嵌挿部８ｆが組み立てられ前記閂材ｄが閂嵌挿部ｋに嵌挿されると間隙部１６、１７が形成されることを特徴とする請求項７ないし１０のいずれかの請求項に記載された蓋付き樋受け金具なので、前記請求項１に記載の発明と同じ効果を有している。
【００３３】
請求項１２に記載の発明は、前記蓋体ｃの前方部２の裏面部１１に、前記雨樋aの前方部１２が嵌挿する嵌挿部１３を形成せしめることを特徴とする請求項７ないし１１のいずれかの請求項に記載された蓋付き樋受け金具なので、前記請求項１に記載の発明と同じ効果を有している。
【図面の簡単な説明】
【００３４】
【図１】本発明蓋付き樋受け金具の縦断側面図である。
【００３５】
【図２】同樋受け支承体の斜視図である。
【００３６】
【図３】同樋受け支承体の側面図である。
【００３７】
【図４】同樋受け支承体の正面図である。
【００３８】
【図５】同樋受け支承体の第２実施例の斜視図である。
【００３９】
【図６】図５の樋受け支承体の側面図である。
【００４０】
【図７】同５の樋受け支承体の左側面図である。
【００４１】
【図８】右側閂嵌挿部の正面図である。
【００４２】
【図９】右側閂嵌挿部の右側面図である。
【００４３】
【図１０】蓋体の縦断側面図である。
【００４４】
【図１１】蓋体の一部切欠平面図である。
【００４５】
【図１２】閂材の正面図である。
【００４６】
【図１３】閂材の右側面図である。
【００４７】
【図１４】同蓋付き樋受け金具の第２実施例の縦断側面図である。
【００４８】
【図１５】同図１４の蓋付き樋受け金具の一部切欠拡大縦断側面図である。
【００４９】
【図１６】同図１４の蓋付き樋受け金具の支承体の斜視図である。
【発明を実施するための最良の形態】
【００５０】
請求項１〜１２に記載の発明の実施の形態は共通しているので、一括して以下のとおり説明する。
【００５１】
本発明の樋受け金具Ａは、雨樋aと樋受け支承体ｂと蓋体ｃとから構成されている。
【００５２】
本発明において使用する雨樋aは通常市販されているメーカー製品を使用する。  
【００５３】
ｂは、雨樋aを嵌挿支承する樋受け支承体である。
【００５４】
前記樋受け支承体ｂの構成は、前記雨樋aを嵌挿し支承する支承部１を有し、前方部には、前記金属製もしくは合成樹脂製の蓋体ｃの前方部２に設けた下方に折曲状に垂下する所定長さの挿込み部３を挿入する上方が開口状の挿込み受け部４を形成する。
【００５５】
さらに、前記支承部１の後方部には、屋根の軒先に固定する釘孔５aを設けた軒先取付け部５を設け、前記支承体ｂの後方部の上方部には、前記樋受け支承体ｂと前記蓋体ｃを接続する閂材ｄを打込み可能にした一方の構成部材の一つである左側方に開口部７を設けたコ状の右側閂嵌挿部６を熔接等を施して形成する。
【００５６】
前記右側閂嵌挿部６は本発明の要旨をなしている。
【００５７】
さらに、前記右側閂嵌挿部６の具体的構成を説明する。
【００５８】
上方部には上方開口閂支持部６ａを下方部には下方開口閂支持部６ｂを、中間部には垂直支持部６ｃが折曲状に形成され且つ前記上方開口閂支持部６ａと下方開口閂支持部６ｂとの間に開口部７が図１等のように左側方を向くようにして形成されている。
【００５９】
８は前記右側閂嵌挿部６と対向し、閂材ｄを嵌挿可能にし且つ閂嵌挿部ｋを形成する左側閂嵌挿部である。前記左側閂嵌挿部８は、上方部に上方開口閂支持部８aが前記蓋体ｃの裏面部１１にして且つ後方部１１aの方向に水平状に前記蓋体ｃの裏面部１１に延設されている。他方下方部に下方開口閂支持部８ｃが、前記蓋体ｃの裏面部１１より垂下状に延設する垂直状閂支持部８ｂの下方端部８ｄを前記蓋体ｃの後方部８ｅの方向に直角状に折曲せしめ形成されている（図１、４）。
【００６０】
その結果、前記上方開口閂支持部８aと前記下方開口閂支持部８ｃとの間は、平行状にして且つ開口部９が形成される（図１）。
【００６１】
１０は支持部であり、以下の構成からなっている。
【００６２】
すなわち、この支持部１０は、前記右側閂嵌挿部６と前記左側閂嵌挿部８の下方部に位置し、前記右側閂嵌挿部６と前記左側閂嵌挿部８の間に組み立て時に形成された閂嵌挿部ｋ内に打込まれた閂材ｄの固定状態を保持する係止部１０a付き支持部１０を前記支承体ｂの軒先取付け部５より前記支承体ｂの前方部方向に、しかも水平状に突設せしめ形成する。
【００６３】
さらに、前記支持部１０には、係止部１０ａが形成されている。この係止部１０ａは前記支持部１０の端部と上方に直角状に、所定の長さを折曲せしめると共に、前記係止部１０ａの上方部を外側方に折曲し、若干傾斜状にて形成する。
【００６４】
その結果、前記支持部１０は、前記支承体ｂと前記蓋部ｃとが図１に図示されているように組み立てられると、前記右側閂嵌挿部６と前記左側閂嵌挿部８との上方開口閂支持部６ａと上方開口閂支持部８aとの夫々の端部同志が対向し、且つ下方開口閂支持部６ｂと下方開口閂支持部８ｃとの夫々の端部同志も対向する。
【００６５】
前記のとおり、前記支持部１０は対向する下方開口閂支持部６ｂ、８ｃの裏面部に密着し且つ前記係止部１０aが前記垂直状閂支持部８ｂに外側面部に係止し且つ密着状態となる。
【００６６】
また、上方開口閂支持部６ａと上方開口閂支持部８ａとの夫々の端部同志が対向し且つ下方開口閂支持部６ｂと下方開口閂支持部８ｃとの夫々の端部同志も対向する。
【００６７】
そして、前記支持部１０は、対向する前記下方開口閂支持部６ｂ、８ｃの裏面部に密着し且つ前記係止部１０ａが前記垂直状閂支持部８ｂの外側面部に密着状態となって係止する。
【００６８】
さらに、前記支承体ｂと前記蓋体ｃとが図１のように組立てられると、前記右側閂嵌挿部６と前記左側閂嵌挿部８との上方開口閂支持部６ａと上方開口閂支持部８ａとの夫々の端部同志が対向し、且つ下方開口閂支持部６ｂと下方開口閂支持部８ｃとの夫々の端部同志も対向すると、図１に図示されているように、若干の間隙部１６、１７が形成される。
【００６９】
前記のように間隙部１６、１７を設けることによって、閂嵌挿部ｋ内に前記閂材ｄが打込まれると、前記支承体ｂと前記蓋体ｃは強固に接続状態を保持される。
【００７０】
さらに、本発明は、前記蓋体ｃの前方部２の裏面部１１に、前記雨樋ａの開口部１２が収納する嵌挿部１３を形成する（図１）。
【００７１】
閂材ｄは、木製もしくはゴム資材製もしくは合成樹脂製の何れでもよい。
【００７２】
前記樋受支承体ｂには、前記支承部１と前記閂嵌挿支持部１０との間に、前記雨樋ａの後方部１４の搖動を阻止する搖動阻止部１５を垂直状に形成する。  
【００７３】
前記右側閂嵌挿部６は、長さが異なる２組のものを形成する。
【００７４】
従って、短く形成した、例えば４０ｍｍ長さのものは、前記樋受け支承体ｂの一端部に図５、６に図示するように接着する。他方長く形成した例えば８０ｍｍ長さのものは、前記樋受け支承体ｂの他端部に図７に図示するように接着する。
【００７５】
その結果、雨樋ａを長くしながら施工工事をするときは、長く形成した前記閂嵌挿部６を使用し、雨樋ａの左右両サイドから長い方の閂材ｄを打込めば、両方の雨樋ａ、ａが確実且つ強固に固着し接続できる。
【００７６】
さらに、前記閂材ｄも、右側閂嵌挿部６の長さに対応して長さが異なる長短２組を形成する。
【００７７】
本発明の蓋付き樋受け金具Ａの第２実施例につき説明する。
【００７８】
この第２実施例の蓋付き樋受け金具Ａは、前記第１実施例の蓋付き樋受け金具Ａとは、樋受け支承体ｂと蓋体ｃの構成が相違している。
【００７９】
前記樋受け支承体ｂの構成につき説明すると以下のとおりである。
【００８０】
この樋受け支承体ｂは、前記雨樋aを嵌挿支承する支承部１を有し且つ前記支承部１の後方部に屋根の軒先に固定する軒先取付け部５を設け且つ前記軒先取付け部５ａ上方部に前記蓋体ｃの後方部に下方に折曲する引掛け部３ａを係止する引掛け受け部４ａを形成する。さらに、前記支承部ｂの前方部には、係止部１０ｃ付き閂嵌挿支持部１０ｂを設ける。
【００８１】
前記閂嵌挿支持部１０ｂの係止部１０ｃと所定の間隔をおき、前記樋受け支承体ｂと前記蓋体ｃを接続する閂材ｄを打込み可能にした左側方に開口部７を設けた右側閂嵌挿部６ｄを設ける。
【００８２】
さらに、前記蓋体ｃの前方部２には、前記閂材ｄが嵌挿可能にして且つ組立て時に前記右側閂嵌挿部６ｄの開口部７ａと対向する開口部９ａを設けた左側閂嵌挿部８ｆを形成する。
【００８３】
前記右側閂嵌挿部６ｄと前記左側閂嵌挿部８ｆは、組み立てられると、図１４、１５のように側面視が四辺形状となって組み立てられる。
【００８４】
さらに、前記桶受け支承体１０ｂは、前記支承部１内に嵌挿する雨樋aの後方縁部１４が上方部に飛出しないような形状をした搖動阻止部１５aが前記軒先取付け部５より突設されて形成されている（図１４）。
【００８５】
前記右側閂嵌挿部６ｄは、上方開口閂支持部６ｅと下方開口閂支持部６ｆと垂直支持部６ｇとが折曲状に形成され且つ前記上方開口閂支持部６ｅと下方開口閂支持部６ｆが平行状をなし前記閂嵌挿支持部１０ｂの上方部に接着する。
【００８６】
また、前記左側閂嵌挿部８ｆは、前記左側閂嵌挿部８ｆを構成する上方開口支持部８ｇが前記蓋体ｃの裏面部１１にして且つ前方部２より水平状に延設せしめ前記蓋体ｃの裏面部１１に形成され、前記左側閂嵌挿部８ｆを構成する下方開口閂支持部８ｉも、前記蓋体ｃの前方部２の裏面部１１より垂下状に延設する垂直状閂支持部８ｈの下方端部８ｊを前記蓋体ｃの後方部の方向に折曲せしめ、前記上方開口閂支持部８ｇと前記下方開口閂支持部８ｉは平行状に形成されている。
【００８７】
前記右側閂嵌挿部６ｄの上方開口閂支持部６ｅと下方開口閂支持部６ｈの各端部と、前記左側閂嵌挿部８ｆの上方開口閂支持部８ｇと下方開口閂支持部８ｉの各端部は、前記右側閂嵌挿部６ｄと前記左側閂嵌挿部８ｆが組み立てられ前記閂材ｄが閂嵌挿部ｋに嵌挿されると間隙部１６、１７が形成される。
【００８８】
さらに、前記蓋体ｃの前方部２の裏面部１１には、前記雨樋aの前方部１２が嵌挿する嵌挿部１３を形成せしめる。
【００８９】
つぎに、本発明の蓋付き樋受け金具Ａの組立て施工法につき説明する。
【００９０】
施工現場の屋根の軒先の所定の位置に、本発明の前記樋受け支承体ｂを所定間隔おきに、釘（図示なし）を前記軒先取付け部５の釘孔５ａに打込み、前記樋受け支承体ｂを固着する。
【００９１】
つぎに、前記雨樋ａを図１に図示されているように前記支承部１内に嵌挿する。
【００９２】
しかる後、図１に図示のとおり、前記蓋体ｃの挿込み部３を前記樋受け支承体ｂの前記挿込み受け部４に挿込んでやる。
【００９３】
そして、前記蓋体ｃの後方部１１ａの前記閂嵌挿部８を、前記右側閂嵌挿部６の開口部７内に嵌挿させてやる。
【００９４】
その結果、図１に図示のとおり、前記左側閂嵌挿部８の水平状の下方開口閂支持部８ｃが、前記支持部１０上に載置し、前記垂直状閂支持部８ｂが、前記係止部１０ａによって係止されている。
【００９５】
前記のように前記蓋体ｃと前記樋受け支承体ｂを組立てると、図１のようにして、閂嵌挿部ｋが形成される。
【００９６】
さらに、二枚目以降の雨樋ａは、前記樋受け支承体ｂの左端部に取着の長目の右側閂嵌挿部６内に前記と同じ手順で嵌挿させる。
【００９７】
従って、前記の長目に形成されている右側閂嵌挿部６には、一枚目の雨樋ａの左端部が嵌挿載置し、二枚目の雨樋ａの右端部が前記長目の右側閂嵌挿部６に嵌挿載置する。
【００９８】
しかる後、前記閂材ｄの一端部を前記閂嵌挿部ｋに挿込み叩き具を介して漸次叩き込めば、前記雨樋ａは前記樋受け支承体ｂと強固に挿込まれて接続される。
【００９９】
１８は前記蓋体ｃに穿設された小径状の雨水排出孔である。
【０１００】
さらに、本発明の蓋付き樋受け金具Ａは、雨樋ａ内にたまった火山灰等の塵埃を除去するには、前記のようにして打込んだ閂材ｄを反対方向より挿入中の閂材ｄを抜くことにより前記の雨樋ａを解体することができる。
【０１０１】
前記のようにして挿込まれた閂材ｄを抜き出すことによって、蓋体ｃは前記樋受け支承体ｂより容易に離脱できる。
【０１０２】
そして、前記雨樋ａにたまっている砂等の塵埃を手指もしくは掃除具でかき出してやる。
【０１０３】
前記のようにして、粒砂類を除去後は、前記と同様な施工手順で前記雨樋ａを前記樋受け支承体ｂに対し嵌挿載置し、閂材ｄを閂嵌挿部ｋに差込み叩きこめば、前記雨樋ａは前記樋受け支承体ｂと強固に接続する。
【０１０４】
第２実施例の蓋付き樋受け金具Ａの使用法について説明する。
【０１０５】
第２実施例の蓋付き樋受け金具Ａの組立て施工法は、第１実施例の樋受け金具Ａの構成とは、その構成が図１４，１５，１６に図示したとおり相違しているので、その組立て施工法は異なる。
【０１０６】
第１の取付け作業工程としては、前記支承体ｂを屋根の軒先の取付け施工する所定の位置に順次支承体ｂの釘孔５ａに釘を打込み固着する。
【０１０７】
しかる後、雨樋ａを支承体ｂ内に嵌挿し、つぎに前記蓋体ｃを図１４に図示するように、前記支承体ｂに被せてやる。
【０１０８】
その結果、前記支承体ｂの引掛け受け部４ａに、前記蓋体ｃの引掛け部３ａを係止せしめる。
【０１０９】
さらに、前記蓋体ｃの前方部の左側閂嵌挿部８ｆを閂嵌挿部支持部１０ｂ上に載置する。
【０１１０】
その結果、前記左側閂嵌挿部８ｆと前記右側閂嵌挿部６ｄとが対向状になると共に、前記左側閂嵌挿部８ｆの垂直状閂支持部８ｈが係止部１０ｃに密着する（図１４）。
【０１１１】
前記のように前記支承体ｂと前記蓋体ｃとが組立てられると、閂嵌挿部ｋが形成される。
【０１１２】
前記閂嵌挿部ｋ内に前記閂材ｄを打込むと、閂材ｄの押圧作用によって前記左側閂嵌挿部８ｆの垂直状閂支持部８ｈが係止部１０ｃに強力に接着し、前記支承体ｂと蓋体ｃとが固着される。
【０１１３】
さらに、前記蓋体ｃの後方部も、前記蓋体ｃの引掛け部３ａが引掛け受け部４ａに引掛り且つ係止しているので離脱は防止できる。
【０１１４】
さらに、前記閂材ｄの取外し手法も前記第１実施例に述べたとおり同じ手法によって実施する。
【０１１５】
なお、本発明の蓋付き樋受け金具を構成する雨樋カバーは、完璧に落葉や芥を樋内に入れず、設置したならば一生屋根に上がって落葉の掃除は不要となすものである。また、この夫婦閂を利用してソーラーパネルの設置用としても使われるよう開発するつもりである。その方法としては、アルミのパネル設置用土台枠に、上部は差し込み口を作り、パネル上部を差し込み下部小型の夫婦閂にして、アルミのクサビを打ち込み、止まるならば容易に可能となり、ネジを使うことなくスムーズな工事の完成を見ることとなる。これから、そのための研究に入りたいと思っている。
【符号の説明】
【０１１６】
Ａ        蓋付き樋受け金具
ａ        雨樋
ｂ        樋受け支承体
ｃ        蓋体
ｄ        閂材
ｋ        閂嵌挿部        
１        支承部
２        前方部
３        挿込み部
３a       引掛け部
４        挿込み受け部
５        軒先取付け部
５ａ      釘孔
６        右側閂嵌挿部
６ａ      上方開口閂支持部
６ｂ      下方開口閂支持部
６ｃ      垂直支持部
６ｄ      右側閂嵌挿部
６ｅ      上方開口閂支持部
６ｆ      下方閂支持部
６ｇ      垂直支持部
７        開口部
８        左側閂嵌挿部
８ａ      上方開口閂支持部
８ｂ      垂直状閂支持部
８ｃ      下方開口閂支持部
８ｄ      下方端部
８ｅ      後方部
８ｆ      左側閂嵌挿部
８ｇ      上方開口支持部
８ｈ      垂直状閂支持部
８i       下方開口閂支持部
８j       下方端部
９        開口部
９a       開口部
１０      支持部
１０ａ    係止部
１０ｂ    閂嵌挿支持部
１１      裏面部
１１ａ    後方部
１１ｂ    裏面部
１２      前方部
１３      嵌挿部
１４      後方部
１５      搖動阻止部
１５a     揺動阻止部
１６      間隙部
１７      間隙部
１８      雨水排出孔
【図１】
2015086528.tif 000003
【図２】
2015086528.tif 000004
【図３】
2015086528.tif 000005
【図４】
2015086528.tif 000006
【図５】
2015086528.tif 000007
【図６】
2015086528.tif 000008
【図７】
2015086528.tif 000009
【図８】
2015086528.tif 000010
【図９】
2015086528.tif 000011
【図１０】
2015086528.tif 000012
【図１１】
2015086528.tif 000013
【図１２】
2015086528.tif 000014
【図１３】
2015086528.tif 000015
【図１４】
2015086528.tif 000016
【図１５】
2015086528.tif 000017
【図１６】
2015086528.tif 000018